【手続補正書】
【提出日】平成16年3月24日(2004.3.24)
【手続補正１】
【補正対象書類名】明細書
【補正対象項目名】００４３
【補正方法】変更
【補正の内容】
【００４３】
図９（ａ）及び（ｂ）に基づいて、定着装置の各動作過程の状態について説明する。
（Ｉ）ＷＡＲＭ  ＵＰ
独立制御モードが採用され、定着ヒータ２３、外部ヒータ６２に夫々６００Ｗ、２００Ｗの電力が供給され、定着ロール２０及び外部加熱ロール６０は早期に夫々の設定温度θA、θBまで昇温する。
このとき、外部加熱ロール６０は、定着ロール２０から離間した状態である。
また、定着ヒータ２３、外部ヒータ６２には同時に電力が供給されるが、画像形成装置自体が稼働していないため、定着装置で使用可能な電力は８００Ｗあり、画像形成装置全体の消費電力（１．５ＫＶＡ以下）には影響しない。


【手続補正２】
【補正対象書類名】明細書
【補正対象項目名】００４４
【補正方法】変更
【補正の内容】
【００４４】
（II）ＳＴＡＮＤ  ＢＹ（ＷＡＲＭ  ＵＰ直後）
ＷＡＲＭ  ＵＰ時と同様であり、定着ヒータ２３及び外部ヒータ６２は夫々設定温度θA、θBを境にオンオフ制御を繰り返し、定着ロール２０及び外部加熱ロール６０は設定温度θA、θBを維持した状態で待機する。
ＳＴＡＮＤ  ＢＹ状態においても、外部加熱ロール６０は、定着ロール２０から離間したまま待機する。


【手続補正３】
【補正対象書類名】明細書
【補正対象項目名】００４５
【補正方法】変更
【補正の内容】
【００４５】
（III）ＲＵＮ
定着ロール優先制御モードが採用され、定着ヒータ２３には６００Ｗの電力が供給される一方、外部ヒータ６２への電力の供給が停止される。
更に、ＲＵＮと同時に外部加熱ロール６０が定着ロール２０に接触配置される。
このとき、定着ロール２０では、定着動作開始と共に定着ロール２０表面の急激な温度低下が発生する。
しかしながら、本実施の形態では、上述のように、ＲＵＮと同時に外部加熱ロール６０が定着ロール２０に圧接されている。外部加熱ロール６０については、ＲＵＮ時に、外部ヒータ６２への給電が停止されているため、ＲＵＮ時にこれ以上外部加熱ロール６０が加熱されることはないが、この外部加熱ロール６０はそもそも加熱ロールよりも設定温度が４０℃高く、また、ＷＡＲＭ  ＵＰ時及びＳＴＡＮＤ  ＢＹ時に、蓄熱層としての耐熱弾性層６３に定着ロール２０表面を加熱するのに十分な熱が蓄積されていることから、この蓄積された熱によって定着ロール２０の表面が加熱される。
また、本実施の形態では、ＲＵＮ時に定着ヒータ２３に定着装置で使用することのできる電力を集中して供給しているため、これにより、定着ロール２０は内部からも急速に加熱される。
このように、定着ロール２０が内外から加熱されることにより、定着ロール２０の表面の急激な温度低下が防止され、速やかに設定温度θAに回復することとなる。
そして、定着ヒータ２３は設定温度θAにオンオフ制御を繰り返し、定着ロール２０は設定温度θAを維持した状態で定着動作を行う。
このとき、他の機器も駆動するが、定着装置で使用できる電力（６００Ｗ）を越えることがなく、ＲＵＮ中に他の機器への電力供給に支障をきたすことはない。
また、外部加熱ロール６０の表面には離型層６４が設けられているため、用紙４０上の未定着トナー像Ｔが定着ロール２０を介して付着するという事態も回避される。


【手続補正４】
【補正対象書類名】明細書
【補正対象項目名】００４７
【補正方法】変更
【補正の内容】
【００４７】
（IV）ＳＴＡＮＤ  ＢＹ（ＲＵＮ後）
外部加熱ロール６０が接離機構７０によって再び離間されると共に、（II）と同様の動作が行われ、定着ヒータ２３及び外部ヒータ６２は夫々設定温度θA、θBを境にオンオフ制御を繰り返し、定着ロール２０及び外部加熱ロール６０は設定温度θA、θBを維持した状態で待機する。
また、図１０（ａ）に示す態様のように、ＲＵＮ中に外部加熱ロール６０が定着ロール２０から離間されている場合には、その状態で（II）と同様の動作が行われ、定着ヒータ２３及び外部ヒータ６２は夫々設定温度θA、θBを境にオンオフ制御を繰り返し、定着ロール２０及び外部加熱ロール６０は設定温度θA、θBを維持した状態で待機する。


【手続補正５】
【補正対象書類名】明細書
【補正対象項目名】００５９
【補正方法】変更
【補正の内容】
【００５９】
図１３（ａ）及び（ｂ）に基づいて、定着装置の各動作過程の状態について説明する。
（Ｉ）ＷＡＲＭ  ＵＰ
独立制御モードが採用され、定着ヒータ２３、外部ヒータ６２、加圧ヒータ３３に夫々６００Ｗ、２００Ｗ、２００Ｗの電力が同時に供給され、定着ロール２０、外部加熱ロール６０及び加圧ロール３０は早期に夫々の設定温度θA、θB、θCまで昇温する。
このとき、外部加熱ロール６０は、定着ロール２０から離間した状態である。
また、定着ヒータ２３、外部ヒータ６２及び加圧ヒータ３３には同時に電力が供給されるが、画像形成装置自体が稼働していないため、定着装置で使用可能な電力は１０００Ｗあり、画像形成装置全体の消費電力（１．５ＫＶＡ以下）には影響しない。


【手続補正６】
【補正対象書類名】明細書
【補正対象項目名】００６０
【補正方法】変更
【補正の内容】
【００６０】
（II）ＳＴＡＮＤ  ＢＹ（ＷＡＲＭ  ＵＰ直後）
ＷＡＲＭ  ＵＰ時と同様であり、定着ヒータ２３、外部ヒータ６２及び加圧ヒータ３３は、夫々設定温度θA、θB、θCを境にオンオフ制御を繰り返し、定着ロール２０、外部加熱ロール６０及び加圧ロール３０は、設定温度θA、θB、θCを維持した状態で待機する。
また、外部加熱ロール６０は、定着ロール２０から離間したまま待機する。


【手続補正７】
【補正対象書類名】明細書
【補正対象項目名】００６１
【補正方法】変更
【補正の内容】
【００６１】
（III）ＲＵＮ
定着ロール優先制御モードが採用され、定着ヒータ２３には６００Ｗの電力が供給される一方、外部ヒータ６２及び加圧ヒータ３３への電力の供給が停止される。
更に、ＲＵＮと同時に外部加熱ロール６０が定着ロール２０に接触配置される。
このとき、定着ロール２０では、定着動作開始と共に定着ロール２０表面の急激な温度低下が発生する。
しかしながら、本実施の形態では、上述のように、ＲＵＮと同時に外部加熱ロール６０が定着ロール２０に圧接されている。外部加熱ロール６０については、ＲＵＮ時に、外部ヒータ６２への給電が停止されているため、ＲＵＮ時にこれ以上外部加熱ロール６０が加熱されることはないが、この外部加熱ロール６０はそもそも加熱ロールよりも設定温度が４０℃高く、また、ＷＡＲＭ  ＵＰ時及びＳＴＡＮＤ  ＢＹ時に、蓄熱層としての耐熱弾性層６３に定着ロール２０表面を加熱するのに十分な熱が蓄積されていることから、この蓄積された熱によって定着ロール２０の表面が加熱される。
また、本実施の形態では、ＲＵＮ時に定着ヒータ２３に定着装置で使用することのできる電力を集中して供給しているため、これにより、定着ロール２０は内部からも急速に加熱される。
このように、定着ロール２０が内外から加熱されることにより、定着ロール２０の表面の急激な温度低下が防止され、速やかに設定温度θAに回復することとなる。
そして、定着ヒータ２３は設定温度θAにオンオフ制御を繰り返し、定着ロール２０は設定温度θAを維持した状態で定着動作を行う。
ここで、定着ロール２０が設定温度θAを越え、定着ヒータ２３への電力の供給がオフに設定されたときには、その分の電力が余剰となるが、本実施の形態では、定着ヒータ２３への電力の供給がオフに設定されたときのみ、加圧ヒータ３３に対して電力を供給して加圧ロール３０を加熱する。加圧ロール３０への供給電力の制御は、設定温度θCを目標として行うが、必ずしも設定温度θCまで到達させる必要はなく、定着ロール２０が設定温度θAを下回ったときには、定着ヒータ２３への電力の供給が優先される。
このとき、他の機器も駆動するが、定着装置で使用できる電力（６００Ｗ）を越えることがなく、ＲＵＮ中に他の機器への電力供給に支障をきたすことはない。
また、外部加熱ロール６０の表面には離型層６４が設けられているため、用紙４０上の未定着トナー像Ｔが定着ロール２０を介して付着するという事態も回避される。